(57)【要約】【課題】遠隔監視装置に機密情報が漏洩するのを防止する被遠隔監視装置を提供すること。【解決手段】表示画面を遠隔監視装置に表示させる被遠隔監視装置Ｍ１は、被遠隔監視装置Ｍ１周辺の人物の有無を検出する人物検出手段ＰＳ１と、人物検出手段ＰＳ１による検出結果に基づいて遠隔監視装置と被遠隔監視装置Ｍ１との間の通信を制御する通信制御手段ＴＣ１とを有する。また、被遠隔監視装置Ｍ１は、本体制御部２１２を備えた装置本体部ＭＢ１と、本体制御部２１２から独立して動作する操作パネル制御部２２１を備えた操作パネル部ＯＰ１とを有し、遠隔監視装置は、操作パネル部ＯＰ１を介して装置本体部ＭＢ１と通信を行い、通信制御手段ＴＣ１は、人物検出手段ＰＳ１が被遠隔監視装置Ｍ１周辺の人物を検出しない場合に、操作パネル部ＯＰ１と遠隔監視装置との間の通信を遮断する。【選択図】図２
2008071312.tif 000002
【特許請求の範囲】
【請求項１】
当該被遠隔監視装置の表示画面を遠隔監視装置に表示させる被遠隔監視装置であって、
当該被遠隔監視装置周辺の人物の有無を検出する人物検出手段と、
前記人物検出手段による検出結果に基づいて当該被遠隔監視装置と前記遠隔監視装置との間の通信を制御する通信制御手段と、
を有することを特徴とする被遠隔監視装置。
【請求項２】
本体制御部を備えた装置本体部と、
前記本体制御部から独立して動作する操作パネル制御部を備えた操作パネル部と、
を有することを特徴とする請求項１に記載の被遠隔監視装置。
【請求項３】
前記遠隔監視装置は、前記操作パネル部を介して前記装置本体部と通信を行い、
前記通信制御手段は、前記人物検出手段が当該被遠隔監視装置周辺の人物を検出しない場合に、前記操作パネル部と前記遠隔監視装置との間の通信を遮断する、
ことを特徴とする請求項２に記載の被遠隔監視装置。
【請求項４】
前記遠隔監視装置は、前記操作パネル部を介して前記装置本体部と通信を行い、
前記通信制御手段は、前記人物検出手段が当該被遠隔監視装置周辺の人物を検出しない場合に、前記操作パネル部と前記装置本体部との間の通信を遮断する、
ことを特徴とする請求項２に記載の被遠隔監視装置。
【請求項５】
複数の画像データから画面を生成する画面生成手段と、
画像データの属性を設定する属性設定手段と、を有し、
前記画面生成手段は、前記属性設定手段により所定の属性値が設定された画像データを不可視とした画面を生成する、
ことを特徴とする請求項１乃至４に記載の被遠隔監視装置。
【請求項６】
複数の画像データから画面を生成する画面生成手段と、
前記複数の画像データを別々の領域に記憶する記憶手段と、を有し、
前記画面生成手段は、前記記憶手段の所定領域に記憶された画像データを不可視とした画面を生成する、
ことを特徴とする請求項１乃至４に記載の被遠隔監視装置。
【請求項７】
複数の画像データから画面を生成する画面生成手段と、
画像データをビデオメモリに描画する複数の描画手段と、を有し、
前記画面生成手段は、所定の描画手段で描画される画像データを不可視とした画面を生成する、
ことを特徴とする請求項１乃至４に記載の被遠隔監視装置。
【請求項８】
前記画面生成手段は、前記装置本体部に配置される、
ことを特徴とする請求項５乃至７の何れか一項に記載の被遠隔監視装置。
【請求項９】
ネットワークを介して被遠隔監視装置の表示画面を遠隔監視装置で共有させる画面共有方法であって、
当該被遠隔監視装置周辺の人物の有無を検出する人物検出ステップと、
前記人物検出ステップにおける検出結果に基づいて前記被遠隔監視装置と前記遠隔監視装置との間の通信を制御する通信制御ステップと、
を有することを特徴とする画面共有方法。
【請求項１０】
請求項９に記載の画面共有方法をコンピュータに実行させる画面共有プログラム。
【請求項１１】
請求項１０に記載のプログラムを記録したコンピュータ読み取り可能な記録媒体。
【発明の詳細な説明】
【技術分野】
【０００１】
本発明は、被遠隔監視装置、並びに、被遠隔監視装置と遠隔装置との間の画面共有方法、画面共有プログラム及び画面共有プログラムを記録した記録媒体に関し、特に、被遠隔監視装置（遠隔監視される装置を意味する。）から遠隔監視装置（遠隔監視する装置を意味する。）に無制限に機密情報が漏洩するのを防止する被遠隔監視装置、並びに、被遠隔監視装置と遠隔監視装置との間の画面共有方法、画面共有プログラム及び画面共有プログラムを記録した記録媒体に関する。
【背景技術】
【０００２】
従来、遠隔コントローラからの情報に基づいて被操作対象の遠隔操作を行う遠隔操作装置が知られている（例えば、特許文献１参照）。
【０００３】
また、遠隔操作に関する技術としては、操作パネルと装置本体とを分離して両者を無線ＬＡＮ(Local Area Network)で接続させることにより操作パネルから装置本体を遠隔操作可能としながら操作パネルの配置の自由度を向上させた無線インターフェース接続操作パネルも知られている（例えば、特許文献２参照）。
【０００４】
さらに、サーバーを搭載したＭＦＰ（Multi Function Printer:多機能複合機）の操作画面をネットワークに接続されたクライアント端末において表示させ、クライアント端末上に表示された仮想的なＭＦＰの操作画面を介してＭＦＰを遠隔操作させるＭＦＰシステムも知られている（例えば、特許文献３参照）。
【０００５】
上述の技術群は、被操作対象を遠隔地からモニターさせながら遠隔操作させることにより被操作対象の保守や被操作対象を操作する操作者の遠隔支援を可能とする。
【０００６】
また、遠隔地にある装置のディスプレイに表示された画像を確認しながらその遠隔地にある装置を遠隔支援する技術としては、ＶＮＣ(Virtual Network Computing)が知られている。
【０００７】
図１は、ＶＮＣの動作原理を説明するための図であり、ＶＮＣを備えたシステムは、遠隔操作される側のＰＣ(Personal Computer)（以下、「被遠隔操作ＰＣ」という。）上に画面共有サーバー部Ｓを有し、遠隔操作する側のＰＣ（以下、「遠隔操作ＰＣ」という。）上に画面共有クライアント部Ｃを有する。
【０００８】
画面の共有に関し、被遠隔操作ＰＣの画面共有サーバー部Ｓは、画像データ取得部１１及び画像データ送信部１２を有し、遠隔操作ＰＣの画面共有クライアント部Ｃは、画像データ受信部１５及び画像データ表示部１６を有する。
【０００９】
被遠隔操作ＰＣの画像データ取得部１１は、被遠隔操作ＰＣのディスプレイに表示される画面の画像データを取得し、画像データ送信部１２は、この画像データを遠隔操作ＰＣの画面共有クライアント部Ｃに送信する。また、遠隔操作ＰＣの画像データ受信部１５は、被遠隔操作ＰＣから送信された画像データを受信し、画像データ表示部１６は、受信した画像データを遠隔操作ＰＣのディスプレイ上に表示する。
【００１０】
このように、画面共有サーバー部Ｓの起動している被遠隔操作ＰＣの画面を遠隔操作ＰＣ上で共有できるようにする。なお、画像データは、公知の圧縮技術を利用したり、或いは、直前の画像データとの差分データを利用したりして送受信するサイズが圧縮されてもよい。
【００１１】
一方、入力操作に関し、被遠隔操作ＰＣの画面共有サーバー部Ｓは、入力イベント作成部１３及び入力イベント受信部１４を有し、遠隔操作ＰＣの画面共有クライアント部Ｃは、入力イベント送信部１７及び入力イベント取得部１８を有する。
【００１２】
遠隔操作ＰＣの入力イベント取得部１８は、遠隔操作ＰＣにおけるマウスやキーボードの操作入力により生成される入力イベント信号を取得し、入力イベント送信部１７は、その入力イベント信号を被遠隔操作ＰＣに送信する。
【００１３】
また、被遠隔操作ＰＣの入力イベント受信部１４は、遠隔操作ＰＣから送信された入力イベント信号を受信し、入力イベント作成部１３は、受信した入力イベント信号に基づいて被遠隔操作ＰＣに対する擬似的な入力イベント信号（入力イベント信号は、本来、被遠隔操作ＰＣに付属の入力手段により生成される。）を生成し、その入力イベント信号を制御部に出力して対応する入力イベントを被遠隔操作ＰＣ上で実行させる。
【００１４】
このように、ＶＮＣを備えたシステムは、遠隔地にある被遠隔操作ＰＣのディスプレイに表示された画像を遠隔操作ＰＣのディスプレイで遠隔操作者に確認させながら被遠隔操作ＰＣを遠隔操作させることにより被遠隔操作ＰＣの保守や被遠隔操作ＰＣを操作する操作者の遠隔支援を可能とする。
【特許文献１】特許第３４６９３９９号明細書
【特許文献２】特開２００２−３６６２８７号公報
【特許文献３】特開２００５−０５７５４９号公報
【発明の開示】
【発明が解決しようとする課題】
【００１５】
しかしながら、上述の特許文献は、何れも遠隔監視又は遠隔操作の利便性について言及するが、遠隔監視又は遠隔操作のセキュリティ性については言及していない。そのため、例えば、被遠隔操作ＰＣのディスプレイに表示された機密情報を遠隔操作ＰＣのディスプレイに無制限に表示させてしまい、機密情報の漏洩を発生させてしまう場合も考えられる。
【００１６】
上述の点に鑑み、本発明は、被遠隔監視装置から遠隔監視装置に機密情報が漏洩するのを防止する等のセキュリティ性を高めた被遠隔監視装置、並びに、被遠隔監視装置と遠隔監視装置との間の画面共有方法、画面共有プログラム及び画面共有プログラムを記録した記録媒体を提供することを目的とする。
【課題を解決するための手段】
【００１７】
上述の目的を達成するために、第一の発明に係る被遠隔監視装置は、当該被遠隔監視装置の表示画面を遠隔監視装置に表示させる被遠隔監視装置であって、当該被遠隔監視装置周辺の人物の有無を検出する人物検出手段と、前記人物検出手段による検出結果に基づいて当該被遠隔監視装置と前記遠隔監視装置との間の通信を制御する通信制御手段と、を有することを特徴とする。
【００１８】
また、第二の発明は、第一の発明に係る被遠隔監視装置であって、本体制御部を備えた装置本体部と、前記本体制御部から独立して動作する操作パネル制御部を備えた操作パネル部と、を有することを特徴とする。
【００１９】
また、第三の発明は、第二の発明に係る被遠隔監視装置であって、前記遠隔監視装置は、前記操作パネル部を介して前記装置本体部と通信を行い、前記通信制御手段は、前記人物検出手段が当該被遠隔監視装置周辺の人物を検出しない場合に、前記操作パネル部と前記遠隔監視装置との間の通信を遮断することを特徴とする。
【００２０】
また、第四の発明は、第二の発明に係る被遠隔監視装置であって、前記遠隔監視装置は、前記操作パネル部を介して前記装置本体部と通信を行い、前記通信制御手段は、前記人物検出手段が当該被遠隔監視装置周辺の人物を検出しない場合に、前記操作パネル部と前記装置本体部との間の通信を遮断することを特徴とする。
【００２１】
また、第五の発明は、第一乃至第四の何れかの発明に係る被遠隔監視装置であって、複数の画像データから画面を生成する画面生成手段と、画像データの属性を設定する属性設定手段と、を有し、前記画面生成手段は、前記属性設定手段により所定の属性値が設定された画像データを不可視とした画面を生成することを特徴とする。
【００２２】
また、第六の発明は、第一乃至第四の何れかの発明に係る被遠隔監視装置であって、複数の画像データから画面を生成する画面生成手段と、前記複数の画像データを別々の領域に記憶する記憶手段と、を有し、前記画面生成手段は、前記記憶手段の所定領域に記憶された画像データを不可視とした画面を生成することを特徴とする。
【００２３】
また、第七の発明は、第一乃至第四の何れかの発明に係る被遠隔監視装置であって、複数の画像データから画面を生成する画面生成手段と、画像データをビデオメモリに描画する複数の描画手段と、を有し、前記画面生成手段は、所定の描画手段で描画される画像データを不可視とした画面を生成することを特徴とする。
【００２４】
また、第八の発明は、第五乃至第七の何れかの発明に係る被遠隔監視装置であって、前記画面生成手段は、前記装置本体部に配置されることを特徴とする。
【００２５】
また、第九の発明に係る画面共有方法は、ネットワークを介して被遠隔監視装置の表示画面を遠隔監視装置で共有させる画面共有方法であって、当該被遠隔監視装置周辺の人物の有無を検出する人物検出ステップと、前記人物検出ステップにおける検出結果に基づいて前記被遠隔監視装置と前記遠隔監視装置との間の通信を制御する通信制御ステップと、を有することを特徴とする。
【００２６】
また、第十の発明に係る画面共有プログラムは、第九の発明に係る画面共有方法をコンピュータに実行させる画面共有プログラムである。
【００２７】
また、第十一の発明に係る記録媒体は、第十の発明に係るプログラムを記録したコンピュータ読み取り可能な記録媒体である。
【発明の効果】
【００２８】
上述の手段により、本発明は、被遠隔監視装置から遠隔監視装置に機密情報が漏洩するのを防止する等のセキュリティ性を高めた被遠隔監視装置、並びに、被遠隔監視装置と遠隔監視装置との間の画面共有方法、画面共有プログラム及び画面共有プログラムを記録した記録媒体を提供することを目的とする。
【発明を実施するための最良の形態】
【００２９】
以下、図面に基づいて本発明の実施の形態を説明する。
【実施例１】
【００３０】
図２は、本発明に係る被遠隔監視装置である多機能複合機の構成例を示す機能ブロック図である。
【００３１】
多機能複合機Ｍ１は、装置本体部ＭＢ１、操作パネル部ＯＰ１、通信制御部ＴＣ１及び人物検出部ＰＳ１を有し、操作パネル部ＯＰ１の通信Ｉ／Ｆ部Ｔ１から通信制御部ＴＣ１を介してネットワークに接続され、遠隔操作ＰＣにより遠隔操作される。
【００３２】
装置本体部ＭＢ１は、画像入力部２００、画像形成部２０１、画像入力制御部２０２、画像出力制御部２０３、コピー部２０４、プリンタ部２０５、スキャン部２０６、ＦＡＸ部２０７、ハードディスク２０８、ＲＡＭ２０９、通信部２１０、対操作パネル通信部２１１及び本体制御部２１２を有する。
【００３３】
画像入力部２００は、紙媒体から光学的に画像データを取得するための手段であり、画像形成部２０１は、紙媒体に画像データに対応する画像を形成するための手段である。
【００３４】
画像入力制御部２０２は、画像入力部２００を制御するための手段であり、画像出力制御部２０３は、画像形成部２０１を制御するための手段である。
【００３５】
コピー部２０４、プリンタ部２０５、スキャン部２０６、ＦＡＸ部２０７は、それぞれ、多機能複合機Ｍ１のコピー機能、プリンタ機能、スキャナ機能、ＦＡＸ機能を実行させる装置である。
【００３６】
ハードディスク２０８は、スキャン部２０６でスキャンした画像等を蓄積するための不揮発性記憶装置であり、ＲＡＭ２０９は、スキャン部２０６でスキャンした画像等を一時的に蓄積するための揮発性記憶装置である。
【００３７】
通信部２１０は、多機能複合機Ｍ１をＬＡＮや電話回線に接続するための装置である。なお、通信部２１０は、多機能複合機Ｍ１の遠隔操作には利用されないものとする。
【００３８】
対操作パネル通信部２１１は、装置本体部ＭＢ１が操作パネル部ＯＰ１と通信するためのインターフェースであり、例えば、「Ａ４サイズで２枚コピー」等の指示を操作パネル部ＯＰ１から受けたり、スキャン部２０６でスキャンした画像を操作パネルＯＰ１の表示部２２４でプレビューさせるためにハードディスク２０８に蓄積された画像データを送信したりする際に利用される。
【００３９】
本体制御部２１２は、ＣＰＵ（Central Processing Unit）、ＲＡＭ（Random Access Memory）、ＲＯＭ（Read Only Memory）、ＮＶＲＡＭ（Non-Volatile Random Access Memory）等を備えたコンピュータであり、操作パネル部ＯＰ１の操作パネル制御部２２１とは独立して装置本体部ＭＢ１を制御し、コピー部２０４、プリンタ部２０５、スキャン部２０６及びＦＡＸ部２０７における画像入出力を制御する。
【００４０】
操作パネル部ＯＰ１は、対本体通信部２２０、操作パネル制御部２２１、入力処理部２２２、操作キー２２３、表示部２２４、座標検出部２２５、画面生成部Ｇ１、画面共有サーバー部Ｓ１、通信Ｉ／Ｆ部Ｔ１を有する。
【００４１】
対本体通信部２２０は、操作パネルＯＰ１が装置本体部ＭＢ１と通信するためのインターフェースである。
【００４２】
操作パネル制御部２２１は、ＣＰＵ、ＲＡＭ、ＲＯＭ、ＮＶＲＡＭ等を備えたコンピュータであり、本体制御部２１２とは独立して操作パネル部ＯＰ１を制御する。このように、装置本体部ＭＢ１の本体制御部２１２、及び、操作パネル部ＯＰ１の操作パネル制御部２２１は、相互に独立しているため、一方が故障したり外部から不正にアクセスされたりした場合にも他方へ影響が及ぶのを防止することができる。
【００４３】
入力処理部２２２は、操作パネル部ＯＰ１に対する操作入力を処理するための手段であり、例えば、操作キー２２３又は座標検知部２２５からの入力イベント信号を受信して操作パネル部ＯＰ１に対する操作入力の内容を判定し操作パネル制御部２２１に制御信号を出力する。
【００４４】
「入力イベント信号」とは、操作パネル部ＯＰ１に対する操作入力の内容を示す信号であり、例えば、押下された操作キー２２３のＩＤやタッチパネル上で押下された位置座標等を含む。
【００４５】
操作キー２２３は、メンブレンスイッチ、トグルスイッチ等のハードウェアスイッチであり、例えば、コピー枚数を設定するためのテンキー、コピー機能、スキャン機能等の各種機能を選択するためのファンクションキー等がある。
【００４６】
表示部２２４は、設定されたコピー枚数や選択可能な機能等を表示するためのディスプレイ装置であり、例えば、タッチパネルを備えた液晶ディスプレイ、有機ＥＬ(Electro-Luminescence)ディスプレイ等である。
【００４７】
画面生成部Ｇ１は、表示部２２４で表示させる表示画面の画像データを生成するための手段であり、例えば、入力処理部２２２が出力した制御信号に基づいて操作パネル制御部２２１が出力した画像生成信号に応じて画像データを生成する。その後、画面生成部Ｇ１は、生成した画像データを表示部２２４に出力し表示画面を表示させる。
【００４８】
また、画面生成部Ｇ１は、遠隔操作ＰＣの表示装置で表示させる共有画面の画像データを生成する。
【００４９】
「共有画面」とは、多機能複合機Ｍ１における操作パネル部ＯＰ１の表示部２２４に表示される表示画面を遠隔操作ＰＣの表示装置に仮想的に表示させた画面であり、表示画面をそのまま再現させた画面と、表示画面の一部を不可視にして再現させた画面とがある。
【００５０】
座標検出部２２５は、操作者が押下したタッチパネル上の位置座標を検出するための手段であり、例えば、静電容量方式によりタッチパネル表面の静電容量の変化に基づいて位置座標を特定し、その位置座標に関する情報を含む入力イベント信号を入力処理部２２２に出力する。なお、タッチパネルは、抵抗膜方式、表面弾性波方式等の他の方式を用いたものであってもよい。
【００５１】
画面共有サーバー部Ｓ１及び通信Ｉ／Ｆ部Ｔ１は、それぞれ、図１の被遠隔操作ＰＣに搭載される画面共有サーバー部Ｓ及び通信Ｉ／Ｆ部Ｔと同様であり、多機能複合機Ｍ１と遠隔操作ＰＣとの間で表示画面を共有させ、かつ、多機能複合機Ｍ１における操作キー２２３やタッチパネルをエミュレートしながら遠隔操作ＰＣにおける操作入力を擬似的に多機能複合機Ｍ１における操作入力として処理させる。
【００５２】
画面共有サーバー部Ｓ１は、画面生成部Ｇ１が生成した画像データを画像データ取得部１１により取得し、画像データ送信部１２により通信Ｉ／Ｆ部Ｔ１及び通信制御部ＴＣ１を介してネットワークに接続された遠隔操作ＰＣに送信する。
【００５３】
また、画面共有サーバー部Ｓ１は、入力イベント受信部１４により遠隔操作ＰＣで生成された入力イベント信号を受信し、入力イベント作成部１３により入力処理部２２２に対する擬似的な入力イベント信号を作成して対応する入力イベントを多機能複合機Ｍ１上で実行させる。
【００５４】
人物検出部ＰＳ１は、多機能複合機Ｍ１周辺の人物を検出するための手段であり、例えば、赤外線、超音波、電波等を用いた近接センサー、レーダセンサーにより多機能複合機Ｍ１を直接操作する操作者を検出したり、カメラで多機能複合機Ｍ１の周辺を撮影し撮影した画像を画像処理することにより周辺の人物や操作者を検出したりする。
【００５５】
また、人物検出部ＰＳ１は、上述のカメラで撮影した画像と付属のハードディスク等に記憶した人物画像とをパターンマッチング処理で照合することにより操作者を識別するようにしてもよい。なお、人物検出部ＰＳ１は、人物を識別するために指紋認証やパスワード入力等の他の認証手段を利用してもよい。
【００５６】
人物検出部ＰＳ１は、操作者を検出した場合に検出信号を通信制御部ＴＣ１に出力する。なお、人物検出部ＰＳ１は、操作者を検出しない場合に非検出信号を通信制御部ＴＣ１に出力するようにしてもよく、何れの信号も出力しないようにしてもよい。
【００５７】
また、人物検出部ＰＳ１は、周期的に（例えば、０．１秒刻み）何れかの信号を通信制御部ＴＣ１に出力するようにしてもよく、状態が変化した場合（非検出状態から検出状態になった場合、或いは、検出状態から非検出状態になった場合）に限り、何れかの信号を通信制御部ＴＣ１に出力するようにしてもよい。
【００５８】
また、人物検出部ＰＳ１は、ＩＣカードリーダーを備え、ＩＣカードリーダーにＩＣカードが挿入されることで操作者を検出するようにしてもよい。
【００５９】
通信制御部ＴＣ１は、人物検出部ＰＳ１からの信号を受信して多機能複合機Ｍ１と遠隔操作ＰＣとの間の通信を制御するための手段であり、例えば、人物検出部ＰＳ１から検出信号を受信した場合に多機能複合機Ｍ１と遠隔操作ＰＣとの間の通信を許可し、人物検出部ＰＳ１から非検出信号を受信した場合に多機能複合機Ｍ１と遠隔操作ＰＣとの間の通信を遮断するネットワークルーターである。
【００６０】
なお、人物検出部ＰＳ１及び通信制御部ＴＣ１は、装置本体部ＭＢ１及び操作パネル部ＯＰ１から独立しており、装置本体部ＭＢ１又は操作パネル部ＯＰ１がネットワーク侵入者により不正操作された場合にも、人物検出部ＰＳ１又は通信制御部ＴＣ１まで不正操作されてしまうのを防止し、セキュリティ性を向上させている。
【００６１】
操作パネル部ＯＰ１は、多機能複合機Ｍ１と遠隔操作ＰＣとの間で表示画面を共有させるために通信Ｉ／Ｆ部Ｔ１から通信制御部ＴＣ１に画像データを送信する。画像データは、例えば、ＴＣＰ／ＩＰを利用するためパケットに分割され、多機能複合機Ｍ１からネットワークを介して遠隔操作ＰＣに伝送される。
【００６２】
通信制御部ＴＣ１は、人物検出部ＰＳ１から検出信号を受信した場合に操作パネル部ＯＰ１の通信Ｉ／Ｆ部Ｔ１から受信している画像データを遠隔操作ＰＣに転送し、人物検出部ＰＳ１から非検出信号を受信した場合に操作パネル部ＯＰ１の通信Ｉ／Ｆ部Ｔ１が送信する画像データを遠隔操作ＰＣに転送することなく遮断する。
【００６３】
次に、図３を参照しながら、多機能複合機Ｍ１が遠隔操作ＰＣとの間の通信を制御する処理について説明する。
【００６４】
最初に、多機能複合機Ｍ１は、操作パネル部ＯＰ１の通信Ｉ／Ｆ部Ｔ１からネットワークへ画像データを送出する場合（通信制御部ＴＣ１が通信Ｉ／Ｆ部Ｔ１から画像データを受信した場合）、人物検出部ＰＳ１により周辺に人物が存在するか否かを検出する（ステップＳＴ１）。
【００６５】
多機能複合機Ｍ１の周辺に人物を検出した場合（ステップＳＴ１のＹＥＳ）、人物検出部ＰＳ１は、通信制御部ＴＣ１に検出信号を出力し、検出信号を受信した通信制御部ＴＣ１は、操作パネル部ＯＰ１からネットワーク（遠隔操作ＰＣ）へのパケット転送を許可する（ステップＳＴ２）。
【００６６】
この場合、通信制御部ＴＣ１は、画像データがネットワーク上に送出され多機能複合機Ｍ１と遠隔操作ＰＣとの間で表示画面が共有されたことを外部に示すために、通信制御部ＴＣ１に設置された画面共有ＬＥＤ(Light Emitting Diode)ランプを点灯させる（ステップＳＴ３）。
【００６７】
一方、多機能複合機Ｍ１の周辺に人物を検出しない場合（ステップＳＴ１のＮＯ）、人物検出部ＰＳ１は、通信制御部ＴＣ１に非検出信号を出力し、非検出信号を受信した通信制御部ＴＣ１は、操作パネル部ＯＰ１からネットワーク（遠隔操作ＰＣ）へのパケット転送を禁止する（ステップＳＴ４）。
【００６８】
この場合、通信制御部ＴＣ１は、通信制御部ＴＣ１に設置された警告表示器を点灯させたり、警報器から警報を出力させたりして（ステップＳＴ５）、多機能複合機Ｍ１に対する不正アクセスの疑いがあることを外部に報知するようにする。
【００６９】
以上の構成により、多機能複合機Ｍ１は、画面共有機能を利用して機密文書等が制限無く外部の遠隔操作ＰＣで閲覧されるのを防止することができる。
【００７０】
なお、多機能複合機Ｍ１は、遠隔操作ＰＣからの遠隔操作を禁止し遠隔監視だけを許可する装置であってもよく、或いは、遠隔操作機能を備えず遠隔監視機能だけを備えた装置であってもよく、ＯＡ機器、家庭用電化製品、ＡＶ機器、券売機、予約機、携帯電話等であってもよい。
【００７１】
また、多機能複合機Ｍ１は、ＶＮＣを利用し遠隔操作ＰＣとの間でリアルタイムに表示画面を共有させるが、遠隔操作ＰＣに表示される共有画面を所定間隔（例えば、１秒間）刻みで更新させたり、表示画面が変更された場合に限って共有画面を更新させたりしてもよい。
【００７２】
また、遠隔操作ＰＣは、例えば、ＪａｖａＳｃｒｉｐｔの自動読み込み機能を利用して所定間隔（例えば、１秒間）刻みで表示画面を取得し、ウェブブラウザ上に共有画面を表示させるようにしてもよい。
【００７３】
次に、操作パネル部ＯＰ１による表示画面又は共有画面の生成方法について説明する。操作パネル部ＯＰ１は、例えば、ＯＳ（Operating System）にＷｉｎｄｏｗｓ(登録商標) XP Embeddedを採用した組み込み機器であるものとする。
【００７４】
操作パネル部ＯＰ１の画面生成部Ｇ１は、例えば、背景画像上に複数のウィンドウを配置した表示画面を生成し、多機能複合機Ｍ１でその表示画面を表示させ、遠隔操作ＰＣでその表示画面に対応する共有画面を表示させる。
【００７５】
また、画面生成部Ｇ１は、ウィンドウのレイヤー属性を変更して所定のウィンドウを透明（非表示状態）とし遠隔操作ＰＣで所定のウィンドウが閲覧されるのを防止する。
【００７６】
「レイヤー属性」とは、ウィンドウのプロパティの一つであり、レイヤー属性を変更することによりウィンドウを半透明にしたり、所定の色を透明にしたりすることができる。
【００７７】
レイヤー属性は、属性設定手段であるＷｉｎｄｏｗｓ(登録商標) XP EmbeddedのＡＰＩ(Application Program Interface)を用いて変更され、例えば、SetWindowLong関数によりウィンドウの拡張スタイルにWS_EX_LAYEREDを追加することにより、或いは、SetLayeredAttributes関数やUpdateLayeredWindow関数等を利用することにより変更される。
【００７８】
図４乃至図６は、レイヤー属性の変更によりウィンドウを非表示状態とする処理を説明するための図である。
【００７９】
図４は、画像生成部Ｇ１が生成した画像データ（画面情報）を記憶する記憶手段である仮想メモリ領域の構成例を示す図であり、デスクトップ描画メモリ領域Ｒ１及びレイヤー属性ウィンドウ描画メモリ領域Ｒ２を示す。なお、仮想メモリ領域は、例えば、操作パネル制御部２２１のＲＡＭに配置される。
【００８０】
「デスクトップ描画メモリ領域」とは、デスクトップ画面上に表示されるウィンドウのデバイスコンテキストが記憶されるメモリ領域をいい、「レイヤー属性ウィンドウ描画メモリ領域」は、Ｗｉｎｄｏｗｓ(登録商標) ＯＳにおいてレイヤー属性を持つウィンドウのデバイスコンテキストが記憶されるメモリ領域をいう。
【００８１】
図５は、デスクトップ描画メモリ領域Ｒ１及びレイヤー属性ウィンドウ描画領域Ｒ２の利用方法を説明するための図である。
【００８２】
ＯＳは、デスクトップ描画メモリ領域Ｒ１における画面情報と、レイヤー属性ウィンドウ描画領域Ｒ２における画面情報とを合成し、合成された画面情報をディスプレイドライバによりＶＲＡＭ(Video RAM)に書き込む。ＶＲＡＭに書き込まれた画面情報は、表示装置に表示される。なお、レイヤー属性ウィンドウ描画領域Ｒ２における画面情報は、ウィンドウを透明にする等の特殊な効果を実現するための情報を含む。
【００８３】
画面共有サーバー部Ｓ１は、デスクトップ描画メモリ領域Ｒ１に書き込まれた画面情報を遠隔操作ＰＣの画面共有クライアント部Ｃに送信し遠隔操作ＰＣの表示装置において共有画面を表示させる。
【００８４】
図６は、画面共有サーバー部Ｓ１の画像データ取得部１１が画面情報を取得する処理を説明するための図である。
【００８５】
画像データ取得部１１は、デスクトップ描画メモリ領域Ｒ１に記憶された画面情報だけを取得し、レイヤー属性ウィンドウ描画領域Ｒ２に記憶された画面情報を取得しないようにする。これにより、レイヤー属性の付されたウィンドウ（例えば、スキャン部２０６でスキャンした画像をプレビューするためのウィンドウやハードディスク２０８に記憶された画像データを表示させるためのウィンドウをいう。）に関する画面情報は、デスクトップ描画メモリ領域Ｒ１における画面情報に合成されることがない。
【００８６】
図７は、多機能複合機Ｍ１の操作パネル部ＯＰ１における表示部２２４に表示される表示画面の例を示す図である。図７は、スキャン部２０６によってスキャンされた画像のプレビューを表示させるウィンドウＷを背景画像ＢＧ上に表示させた状態を示す。ウィンドウＷは、レイヤー属性が付与されているが背景画像ＢＧにはレイヤー属性が付与されていない。
【００８７】
図８は、遠隔操作ＰＣの表示装置に表示される共有画面の例を示す図であり、図７に示す表示画面を画面共有サーバー部Ｓ１がリアルタイムに取得し遠隔操作ＰＣに送信した結果表示される共有画像を示す。
【００８８】
図８が示すように、多機能複合機Ｍ１は、レイヤー属性が付与され、背景画像ＢＧの画面情報が記憶されるデスクトップ描画メモリ領域Ｒ１と異なるレイヤー属性ウィンドウ描画領域Ｒ２に画面情報が記憶されたウィンドウＷを共有画面に表示させないようにする。
【００８９】
次に、操作パネル部ＯＰ１による表示画面又は共有画面の別の生成方法について説明する。
【００９０】
操作パネル部ＯＰ１の画面生成部Ｇ１は、例えば、背景画像ＢＧ上に複数のウィンドウを配置した表示画面を生成し、多機能複合機Ｍ１でその表示画面を表示させ、遠隔操作ＰＣでその表示画面に対応する共有画面を表示させる。
【００９１】
画面生成部Ｇ１は、例えば、描画手段であるＷｉｎｄｏｗｓ(登録商標)  ＯＳに搭載されたＧＤＩ(Graphic Driver Interface)を利用してウィンドウを描画する一方、他の描画手段であるグラフィックアクセラレータによるオーバーレイ表示（例えば、ＤｉｒｅｃｔＤｒａｗによるオーバーレイ表示）を利用して所定ウィンドウ（例えば、スキャン部２０６でスキャンした画像をプレビューするためのウィンドウやハードディスク２０８に記憶された画像データを表示させるためのウィンドウをいう。）を描画し、最後に、それらウィンドウの画像データと所定ウィンドウの画像データを合成して表示画面を生成する。
【００９２】
これにより、画面生成部Ｇ１は、デスクトップ描画メモリ領域Ｒ１に所定ウィンドウの画面情報を記憶させることなく、操作パネル部ＯＰ１の表示部２２４に所定ウィンドウを表示させることができ、結果的に全てのウィンドウを含む表示画面を操作パネル部ＯＰ１の表示部２２４に表示させることができる。
【００９３】
一方、画面生成部Ｇ１がデスクトップ描画メモリ領域Ｒ１に所定ウィンドウの画面情報を記憶させないので、画面共有サーバー部Ｓ１の画像データ取得部１１は、デスクトップ描画メモリ領域Ｒ１に画面情報が記憶された一部のウィンドウを含み、デスクトップ描画メモリ領域Ｒ１に画面情報が記憶されない所定ウィンドウを含まない共有画面を遠隔操作ＰＣの表示装置に表示させる。
【００９４】
図９は、ＧＤＩ及びＤｉｒｅｃｔＤｒａｗによる描画の仕組みを説明するための図である。一般的に、Ｗｉｎｄｏｗｓ(登録商標)  ＯＳ上で動作する各種アプリケーションは、ＧＤＩ描画命令に基づいて画面情報を生成し、生成した画面情報をデスクトップ描画メモリ領域Ｒ１に記憶する。
【００９５】
また、各種アプリケーションは、ディスプレイドライバＤＤＩ部によりデスクトップ描画メモリ領域Ｒ１に記憶された画面情報をＶＲＡＭに記憶させる。
【００９６】
一方、ＤｉｒｅｃｔＤｒａｗを用いてウィンドウを描画させるアプリケーションは、ＤｉｒｅｃｔＤｒａｗ描画命令をディスプレイドライバＤｉｒｅｃｔＤｒａｗ部に通知し、ディスプレイドライバＤｉｒｅｃｔＤｒａｗ部によりディスプレイアダプタのハードウェア画像処理部に画面情報を生成させ、その画面情報をＶＲＡＭに記憶させる。
【００９７】
ＧＤＩ描画命令又はＤｉｒｅｃｔＤｒａｗ描画命令の何れの手段を採用した場合にも、遠隔操作ＰＣの表示装置は、ＶＲＡＭに記憶された画面情報に基づいて共有画面を表示させる。
【００９８】
このように、多機能複合機Ｍ１は、スキャン部２０６でスキャンした画像をプレビューするためのウィンドウやハードディスク２０８に記憶された画像データを表示させるためのウィンドウをＤｉｒｅｃｔＤｒａｗ描画命令によって描画するようにし、これら機密情報を含む可能性のあるウィンドウを遠隔操作ＰＣの表示装置に表示させないようにする。
【００９９】
これにより、多機能複合機Ｍ１の操作パネル部ＯＰ１における表示部２２４に表示される表示画面、及び、遠隔操作ＰＣの表示装置に表示される共有画面の例は、上述のレイヤー属性を利用した場合と同様、図７及び図８に示すようなものとなる。
【０１００】
次に、多機能複合機Ｍ１による所定ウィンドウの判別処理について説明する。
【０１０１】
多機能複合機Ｍ１は、例えば、「Ｐｒｅｖｉｅｗ．ｅｘｅ」というスキャン画像をプレビューするためのアプリケーションにより生成されるウィンドウを遠隔操作ＰＣの表示装置に表示させないようにする場合、「Ｐｒｅｖｉｅｗ．ｅｘｅ」が生成するウィンドウのウィンドウ名「スキャンプレビュー」又はウィンドウクラス「ＶｉｅｒｅｗＣｌａｓｓ」等の識別子により所定ウィンドウであることを認識し、所定ウィンドウを遠隔操作ＰＣの表示装置に表示させないようにする。
【０１０２】
図１０は、多機能複合機Ｍ１が遠隔操作ＰＣの表示装置に表示させるウィンドウを判別する処理の流れを示すフローチャートである。
【０１０３】
最初に、多機能複合機Ｍ１の操作パネル部ＯＰ１における画面生成部Ｇ１は、新たな画像データ（ウィンドウ）を生成する場合、そのウィンドウを遠隔操作ＰＣの表示装置に表示させるか否かをウィンドウクラスに基づいて判定する（ステップＳＴ１１）。
【０１０４】
新たに生成されるウィンドウのウィンドウクラスが「ＶｉｅｗｅｗＣｌａｓｓ」の場合（ステップＳＴ１１のＹＥＳ）、画面生成部Ｇ１は、そのウィンドウを遠隔操作ＰＣの表示装置に表示させるべきでないと判定し、生成した画像データをレイヤー属性ウィンドウ描画メモリ領域Ｒ２に記憶して処理を終了させる。
【０１０５】
一方、新たに生成されたウィンドウのウィンドウクラスが「ＶｉｅｗｅｗＣｌａｓｓ」でない場合（ステップＳＴ１１のＮＯ）、画面生成部Ｇ１は、そのウィンドウを遠隔操作ＰＣの表示装置に表示させるべきであると判定し、生成した画像データをデスクトップ描画メモリ領域Ｒ１に記憶し、その後、画像データ取得部１１によりデスクトップ描画メモリ領域Ｒ１から画面情報を取得させ（ステップＳＴ１２）、取得させた画面情報を画像データ送信部１２により遠隔操作ＰＣに送信させて（ステップＳＴ１３）、処理を終了させる。
【０１０６】
また、画面生成部Ｇ１は、ウィンドウクラスの他、ウィンドウ名や実行アプリケーション名に基づいて遠隔操作ＰＣの表示装置に表示させるか否かを判定するようにしてもよい。
【０１０７】
さらに、画面生成部Ｇ１は、アプリケーションが生成するウィンドウの表示領域が固定である場合（例えば、図７におけるウィンドウＷの表示領域が（２００、０）、（２００、３００）、（３００、０）、（３００、３００）の４点のＸＹ座標で規定される長方形領域に固定される場合をいう。）、その表示領域に背景画像ＢＧ等を表示させることでプレビュー画像を遠隔操作ＰＣの表示装置に表示させないようにしてもよい。
【０１０８】
この場合、多機能複合機Ｍ１の操作パネル部ＯＰ１における画面生成部Ｇ１は、新たなウィンドウを生成する場合、そのウィンドウが表示される領域に基づいて、そのウィンドウを遠隔操作ＰＣの表示装置に表示させるか否かを判定する。
【０１０９】
新たに生成されるウィンドウの表示領域が所定の領域（遠隔操作ＰＣの表示装置では不可視とする領域として多機能複合機Ｍ１により予め登録された領域であり、以下、「共有禁止領域」という。）である場合、画面生成部Ｇ１は、そのウィンドウを遠隔操作ＰＣの表示装置に表示させるべきでないと判定し、生成した画像データをレイヤー属性ウィンドウ描画メモリ領域Ｒ２に記憶するようにする。
【０１１０】
一方、新たに生成されるウィンドウの表示領域が共有禁止領域でない場合、画面生成部Ｇ１は、そのウィンドウを遠隔操作ＰＣの表示装置に表示させるべきであると判定して生成した画像データをデスクトップ描画メモリ領域Ｒ１に記憶し、その後、画像データ取得部１１によりデスクトップ描画メモリ領域Ｒ１から画面情報を取得させ、取得させた画面情報を画像データ送信部１２により遠隔操作ＰＣに送信させる。
【０１１１】
なお、画面生成部Ｇ１は、上述のような判定を行うことなく、共有禁止領域には常に背景画像ＢＧを表示させるようにして遠隔操作ＰＣの表示装置にプレビュー画像等の機密情報が表示されないようにしてもよい。
【０１１２】
さらに、画面生成部Ｇ１は、アプリケーションによって生成されるウィンドウの表示領域が変動する場合、ウィンドウの表示領域が変動する度にその表示領域をアプリケーションに通知させ、通知された表示領域に背景画像ＢＧ等を表示させることでプレビュー画像を遠隔操作ＰＣの表示装置に表示させないようにしてもよい。
【０１１３】
図１１は、アプリケーションにより生成されるウィンドウの表示領域が変動する場合に、画面生成部Ｇ１がそのウィンドウを遠隔操作ＰＣの表示装置に表示させるか否かを決定する処理の流れについて説明する。
【０１１４】
最初に、画面生成部Ｇ１は、起動されたアプリケーション（例えば、スキャン画像をプレビューするためのアプリケーションである。）が表示しようとするウィンドウの表示領域（以下、「予定領域」という。）に関する情報を取得し（ステップＳＴ２１）、予定領域が現在、共有禁止領域に設定されている表示領域（以下、「現在領域」という。）と異なるか否かを判定する（ステップＳＴ２２）。
【０１１５】
予定領域が現在領域と異なる場合（ステップＳＴ２２のＹＥＳ）、画面生成部Ｇ１は、現在領域を共有禁止領域とした設定を解除し、予定領域を新たに共有禁止領域に設定する（ステップＳＴ２３）。
【０１１６】
予定領域が現在領域に等しい場合（ステップＳＴ２２のＮＯ）、画面生成部Ｇ１は、現在領域を共有禁止領域とした設定をそのまま維持する。
【０１１７】
その間、画面生成部Ｇ１は、起動したアプリケーションの状態を監視し（ステップＳＴ２４）、アプリケーションが終了したことを検出するまで予定領域と現在領域との関係に基づいて共有禁止領域を更新する（ステップＳＴ２４のＮＯからステップＳＴ２１乃至ステップＳＴ２３のループ）。
【０１１８】
アプリケーションが終了したことを検出すると（ステップＳＴ２４のＹＥＳ）、画面生成部Ｇ１は、共有禁止領域の設定を解除し（ステップＳＴ２５）、表示部２２４に表示される表示画面をそのまま遠隔操作ＰＣの表示装置で表示させるようにする。
【０１１９】
なお、画面生成部Ｇ１が状態を監視するアプリケーションは、１つであってもよく、複数であってもよい。
【０１２０】
以上の構成により、多機能複合機Ｍ１は、アプリケーションが表示しようとするウィンドウの共有画面における位置が変動する場合であっても、ウィンドウの位置が変動する都度共有禁止領域を更新し、共有禁止領域にあるウィンドウだけを不可視としながら、他の領域を遠隔操作ＰＣの表示領域に表示させることができる。
【実施例２】
【０１２１】
図１２は、本発明に係る被遠隔監視装置である多機能複合機の別の構成例を示す機能ブロック図である。
【０１２２】
多機能複合機Ｍ２は、装置本体部ＭＢ２、操作パネル部ＯＰ２、通信制御部ＴＣ２及び人物検出部ＰＳ２を有し、操作パネル部ＯＰ２の通信Ｉ／Ｆ部Ｔ２を介してネットワークに接続され、遠隔操作ＰＣにより遠隔操作される。
【０１２３】
多機能複合機Ｍ２は、図２の多機能複合機Ｍ１と比較すると、通信制御部ＴＣ２が装置本体部ＭＢ２と操作パネル部ＯＰ２との間に配置されている点で相違し、その他の点において共通する。
【０１２４】
通信制御部ＴＣ２は、人物検出部ＰＳ２からの信号を受信して装置本体部ＭＢ２と操作パネル部ＯＰ２との間の通信を制御するための手段であり、例えば、人物検出部ＰＳ２から検出信号を受信した場合にＲＳ−２３２Ｃ規格のシリアルケーブルで相互接続された装置本体部ＭＢ２と操作パネル部ＯＰ２との間の通信を許可し、人物検出部ＰＳ１から非検出信号を受信した場合に装置本体部ＭＢ２と操作パネル部ＯＰ２との間の通信を禁止する。
【０１２５】
次に、図１３を参照しながら、多機能複合機Ｍ２が遠隔操作ＰＣとの間の通信を制御する処理について説明する。
【０１２６】
最初に、多機能複合機Ｍ２は、装置本体部ＭＢ２から操作パネル部ＯＰ２へ画面生成信号を送信する場合（通信制御部ＴＣ２が装置本体部ＭＢ２から画面生成信号を受信した場合）、人物検出部ＰＳ１により周辺に人物が存在するか否かを検出する（ステップＳＴ１１）。
【０１２７】
ここで、「画面生成信号」とは、操作パネル部ＯＰ２の画面生成部Ｇ２に表示画面を生成させるための制御信号をいう。
【０１２８】
多機能複合機Ｍ２の周辺に人物を検出した場合（ステップＳＴ１１のＹＥＳ）、人物検出部ＰＳ２は、通信制御部ＴＣ２に検出信号を出力し、検出信号を受信した通信制御部ＴＣ２は、装置本体部ＭＢ２から操作パネル部ＯＰ２へ画面生成信号を転送する（ステップＳＴ１２）。
【０１２９】
この場合、通信制御部ＴＣ２は、画像データがネットワーク上に送出され多機能複合機Ｍ２と遠隔操作ＰＣとの間で表示画面が共有されることを示すために、通信制御部ＴＣ２に設置された画面共有ＬＥＤランプを点灯させる（ステップＳＴ１３）。
【０１３０】
一方、多機能複合機Ｍ２の周辺に人物を検出しない場合（ステップＳＴ１１のＮＯ）、人物検出部ＰＳ２は、通信制御部ＴＣ２に非検出信号を出力し、非検出信号を受信した通信制御部ＴＣ２は、装置本体部ＭＢ２から操作パネル部ＯＰ２への画面生成信号を遮断する（ステップＳＴ１４）。
【０１３１】
この場合、通信制御部ＴＣ２は、通信制御部ＴＣ２に設置された警告表示器を点灯させたり、警報器から警報を出力させたりして（ステップＳＴ１５）、多機能複合機Ｍ２に対する不正アクセスの疑いがあることを外部に報知するようにする。
【０１３２】
この場合、多機能複合機Ｍ２は、通信制御部ＴＣ２により画面生成信号が遮断されるため、操作パネル部ＯＰ２の表示部２２４に表示画面を表示させないが、多機能複合機Ｍ２の周辺に人物が存在しないことから問題は生じない。
【０１３３】
以上の構成により、多機能複合機Ｍ２は、画面共有機能を利用して機密文書等が無制限に外部の遠隔操作ＰＣで閲覧されるのを防止することができる。
【０１３４】
なお、装置本体部ＭＢ２と操作パネル部ＯＰ２とは、ＴＣＰ／ＩＰを利用して相互接続されてもよく、ＵＳＢ２．０、ＰＣＩ−Ｅｘｐｒｅｓｓ、パラレル通信、ＩＥＥＥ１３９４等を利用して相互接続されてもよい。接続は、有線であっても無線であってもよい。
【実施例３】
【０１３５】
図１４は、本発明に係る被遠隔監視装置である多機能複合機の別の構成例を示す機能ブロック図である。
【０１３６】
多機能複合機Ｍ３は、装置本体部ＭＢ３、操作パネル部ＯＰ３、通信制御部ＴＣ３及び人物検出部ＰＳ３を有し、操作パネル部ＯＰ３の通信Ｉ／Ｆ部Ｔ３から通信制御部ＴＣ３を介してネットワークに接続され、遠隔操作ＰＣにより遠隔操作される。
【０１３７】
多機能複合機Ｍ３は、図２の多機能複合機Ｍ１と比較すると、画面生成部Ｇ３及び画面共有サーバー部Ｓ３が装置本体部ＭＢ３に配置され、画像データ受信部１４０１、画面データ転送部１４０２及び入力イベント転送部１４０３が操作パネル部ＯＰ３に配置される点で相違し、その他の点において共通する。
【０１３８】
多機能複合機Ｍ３は、操作パネル部ＯＰ３の表示部２２４で表示される表示画面を画面生成部Ｇ３により装置本体部ＭＢ３で生成し、生成した画像データを画面共有サーバー部Ｓ３により操作パネル部ＯＰ３に送信する。
【０１３９】
この場合、画面共有サーバー部Ｓ３を介した装置本体部ＭＢ３と操作パネル部ＯＰ３との間の関係は、画面共有サーバー部Ｓ１を介した多機能複合機Ｍ１（操作パネル部ＯＰ１）と遠隔操作ＰＣとの間の関係に相当する（図２参照。）
画像データ受信部１４０１は、装置本体部ＭＢ３が送信する画像データを受信するための手段であり、遠隔操作ＰＣにおける画面共有クライアント部Ｃに相当する。画像データ受信部１４０１は、受信した画像データに基づいて表示部２２４に表示画面を表示させる。
【０１４０】
画面データ転送部１４０２は、画像データ受信部１４０１が受信した画像データを遠隔操作ＰＣに転送するための手段である。
【０１４１】
入力イベント転送部１４０３は、遠隔操作ＰＣにおける入力イベント情報を装置本体部ＭＢ３の画面共有サーバー部Ｓ３に転送するための手段である。
【０１４２】
この構成により、多機能複合機Ｍ３は、表示部２２４に表示させる表示画面や遠隔操作ＰＣの表示装置に表示させる共有画面に関する画像データを操作パネル部ＯＰ３に生成させる必要がなく、装置本体部ＭＢ３から受信した画像データを転送させるだけでよいので、操作パネル部ＯＰ３の処理負荷を低減させることができる。
【０１４３】
また、多機能複合機Ｍ３は、所定の識別子が付与された画像データを装置本体部ＭＢ３から操作パネル部ＯＰ３に送信させ、画像データ転送部１４０２に所定の識別子が付与された画像データのみを遠隔操作ＰＣに転送させることにより、機密情報を遠隔操作ＰＣの表示装置で表示させないようにしてもよい。
【０１４４】
例えば、多機能複合機Ｍ３は、画面生成部Ｇ３によりスキャンした画像をプレビューするためのウィンドウに関する画像データに転送禁止の識別子を付与させ、背景画像ＢＧに関する画像データに転送許可の識別子を付与させて装置本体部ＭＢ３から操作パネル部ＯＰ３に送信させることにより、背景画像ＢＧに関する画像データだけを遠隔操作ＰＣの表示装置に表示させることができる。
【０１４５】
転送の可否を判断するための他の手段として、多機能複合機Ｍ３は、アプリケーション毎に画面共有サーバー部と画面データ転送部とを備えるようにしてもよい。
【実施例４】
【０１４６】
図１５は、本発明に係る被遠隔監視装置である多機能複合機の別の構成例を示す機能ブロック図である。
【０１４７】
多機能複合機Ｍ４は、装置本体部ＭＢ４、操作パネル部ＯＰ４、通信制御部ＴＣ４及び人物検出部ＰＳ４を有し、操作パネル部ＯＰ４の通信Ｉ／Ｆ部Ｔ４を介してネットワークに接続され、遠隔操作ＰＣにより遠隔操作される。
【０１４８】
多機能複合機Ｍ４は、図１４の多機能複合機Ｍ３と比較すると、通信制御部ＴＣ４が装置本体部ＭＢ４と操作パネル部ＯＰ４との間に配置されている点で相違し、その他の点において共通する。
【０１４９】
この構成により、多機能複合機Ｍ４は、表示部２２４に表示させる表示画面や遠隔操作ＰＣの表示装置に表示させる共有画面に関する画像データを操作パネル部ＯＰ４に生成させる必要がなく、装置本体部ＭＢ４から受信した画像データを転送させるだけでよいので、操作パネル部ＯＰ４の処理負荷を低減させることができる。
【０１５０】
また、多機能複合機Ｍ４は、画像データを生成する装置本体部ＭＢ４と操作パネル部ＯＰ４との間の通信を制御するので、操作パネル部ＯＰ４を不正操作された場合にも画像データが漏洩するのを防止しセキュリティ性をさらに高めることができる。
【０１５１】
以上、本発明の好ましい実施例について詳説したが、本発明は、上述した実施例に制限されることはなく、本発明の範囲を逸脱することなしに上述した実施例に種々の変形及び置換を加えた他の実施例を包含し得る。
【０１５２】
例えば、上述の実施例では、装置本体部と操作パネル部との間、又は、操作パネル部とネットワークとの間の何れか一方に通信制御部及び人物検出部を配置するが、双方に通信制御部及び人物検出部を配置するようにしてもよい。
【０１５３】
また、上述の実施例では、装置本体部又は操作パネル部の何れかに配置された画面生成部により画像データを生成するが、操作パネル部で機密情報に関する画像データを生成させ、その他の画像データを装置本体部で生成させるようにし、或いは、装置本体部で機密情報に関する画像データを生成させ、その他の画像データを操作パネル部で生成させるようにしたりすることにしてもよい。その上で、何れかで生成されたその他の画像データだけを遠隔操作ＰＣの表示装置に表示させるようにして、機密情報が漏洩するのを防止してもよい。
【図面の簡単な説明】
【０１５４】
【図１】ＶＮＣの動作原理を説明するための図である。
【図２】本発明に係る被遠隔監視装置の構成例を示す機能ブロック図（その１）である。
【図３】通信制御部が多機能複合機と遠隔操作ＰＣとの間の通信を制御する処理の流れを示すフローチャートである。
【図４】画像生成部が生成した画像データを記憶する仮想メモリ領域の構成例を示す図である。
【図５】デスクトップ描画メモリ領域及びレイヤー属性ウィンドウ描画領域の利用方法を説明するための図である。
【図６】画面共有サーバー部の画像データ取得部が画面情報を取得する処理を説明するための図である。
【図７】多機能複合機における操作パネル部の表示部に表示される表示画面の例を示す図である。
【図８】遠隔操作ＰＣの表示装置に表示される共有画面の例を示す図である。
【図９】ＧＤＩ及びＤｉｒｅｃｔＤｒａｗによる描画の仕組みを説明するための図である。
【図１０】多機能複合機が遠隔操作ＰＣの表示装置に表示させるウィンドウを判別する処理の流れを示すフローチャートである。
【図１１】画面生成部がウィンドウを遠隔操作ＰＣの表示装置に表示させるか否かを決定する処理の流れを示すフローチャートである。
【図１２】本発明に係る被遠隔監視装置の構成例を示す機能ブロック図（その２）である。
【図１３】画面生成部がウィンドウを遠隔操作ＰＣの表示装置に表示させるか否かを判定する処理の流れを示すフローチャートである。
【図１４】本発明に係る被遠隔監視装置の構成例を示す機能ブロック図（その３）である。
【図１５】本発明に係る被遠隔監視装置の構成例を示す機能ブロック図（その４）である。
【符号の説明】
【０１５５】
１１    画像データ取得部
１２    画像データ送信部
１３    入力イベント作成部
１４    入力イベント受信部
１５    画像データ受信部
１６    画像データ表示部
１７    入力イベント送信部
１８    入力イベント取得部
２００  画像入力部
２０１  画像形成部
２０２  画像入力制御部
２０３  画像出力制御部
２０４  コピー部
２０５  プリンタ部
２０６  スキャン部
２０７  ＦＡＸ部
２０８  ハードディスク
２０９  ＲＡＭ
２１０  通信部
２１１  対操作パネル通信部
２１２  本体制御部
２２０  対本体通信部
２２１  操作パネル制御部
２２２  入力処理部
２２３  操作キー
２２４  表示部
２２５  座標検出部
ＢＧ    背景画像
Ｃ      画面共有クライアント部
Ｇ１〜Ｇ４  画面生成部
Ｍ１〜Ｍ４  多機能複合機
ＭＢ１〜ＭＢ４  装置本体部
ＯＰ１〜ＯＰ４  操作パネル部
ＰＳ１〜ＰＳ４  人物検出部
Ｒ１    デスクトップ描画メモリ領域
Ｒ２    レイヤー属性ウィンドウ描画メモリ領域
Ｓ、Ｓ１〜Ｓ４  画面共有サーバー部
Ｔ、Ｔ１〜Ｔ４  通信Ｉ／Ｆ部
ＴＣ１〜ＴＣ４  通信制御部
Ｗ      ウィンドウ
【図１】
2008071312.tif 000003
【図２】
2008071312.tif 000004
【図３】
2008071312.tif 000005
【図４】
2008071312.tif 000006
【図５】
2008071312.tif 000007
【図６】
2008071312.tif 000008
【図７】
2008071312.tif 000009
【図８】
2008071312.tif 000010
【図９】
2008071312.tif 000011
【図１０】
2008071312.tif 000012
【図１１】
2008071312.tif 000013
【図１２】
2008071312.tif 000014
【図１３】
2008071312.tif 000015
【図１４】
2008071312.tif 000016
【図１５】
2008071312.tif 000017